(57)【要約】【課題】サプライチェーンに異常が発生した場合に、当該異常に対する対処の有無と対処の進捗状況が把握できるサプライチェーン情報フォーマットを提供する。【解決手段】サプライチェーン情報フォーマットは、異常項目記述部と、対処状況記述部と、リスクレベル記述部とを有している。異常項目記述部は、サプライチェーンを構成するノードおよびリンクで発生した異常の詳細情報である異常項目を記述するデータ領域である。対処状況記述部は、上記したそれぞれの異常項目に対応する対処の状況を記述するデータ領域である。リスクレベル記述部は、異常項目の異常のレベルを定量的に既述するデータ領域である。このサプライチェーン情報フォーマットを用いれば、サプライチェーンで発生している異常の種類と、対処状況と、異常のレベルとを適時に伝達することができる。【選択図】      図１
2019086952.tif 000002
【特許請求の範囲】
【請求項１】
サプライチェーンを構成するノードおよび前記ノードを結ぶリンクに発生した異常の内容を表す異常項目を記述する異常項目記述部と、
前記異常項目に対する対処状況を記述する対処状況記述部と
前記異常項目に関する異常の程度を表すリスクレベルを記述するリスクレベル記述部と
を有すること特徴とするサプライチェーン情報フォーマット。
【請求項２】
請求項１に記載のサプライチェーン情報フォーマットに記述されたサプライチェーン情報を、前記ノードおよび前記リンクから取得するサプライチェーン情報取得手段と、
前記サプライチェーン情報から前記異常項目を抽出する異常項目抽出手段と、
前記サプライチェーン情報から前記異常項目に対応する対処状況を抽出する対処状況抽出手段と、
前記サプライチェーン情報から前記異常項目に対応する前記リスクレベルを抽出するリスクレベル抽出手段と、
前記サプライチェーン情報の取得時刻と前記対処状況と前記リスクレベルとを前記異常項目に紐づけて異常項目データとして記憶する異項目データ報記憶手段と
を有することを特徴とするサプライチェーン管理システム。
【請求項３】
前記異常項目データを前記異常項目ごとに並べて表示する異常項目表示手段を有する
ことを特徴とする請求項２に記載のサプライチェーン管理システム。
【請求項４】
前記リスクレベルを、
所定数のランクに分類するリスクレベル分類手段と、
前記ランクを、色の違い、表示の濃淡、表示のサイズ、数値、所定図形の表示数、の少なくとも１つを用いて表示するランク表示手段と
を有することを特徴とする請求項３に記載のサプライチェーン管理システム。
【請求項５】
第１の時刻に取得した第１の前記異常項目データと、前記第１の時刻より後の第２の時刻に取得した第２の前記異常項目データとを前記異常項目ごとに時系列で並べて表示する異常項目表示手段を有する
ことを特徴とする請求項４に記載のサプライチェーン管理システム。
【請求項６】
前記異常項目表示手段が、
第２の前記異常項目データにおける前記ランクが、第１の前記異常項目データにおける前記ランクと比較して、良化したか、悪化したか、変化なしかを、矢印、色の変化、表示の濃淡の変化、数値の変化、所定図形の表示数の変化の少なくとも一つを用いて表示する
ことを特徴とする請求項５に記載のサプライチェーン管理システム。
【請求項７】
前記異常項目表示手段が、
前記異常項目データの表示を所定の時刻に追加し、
前記所定の時刻において、前記異常項目データが前記サプライチェーンのノードまたはリンクから、新規で取得されたものか、更新されたものか、更新が終了したものかを表示する
ことを特徴とする請求項５または６のいずれか一項に記載のサプライチェーン管理システム。
【請求項８】
サプライチェーンを構成するノードおよび前記ノードを結ぶリンクに発生した異常項目を前記ノードおよび前記リンクからサプライチェーン管理システムに送信し、
前記異常項目に対する対処状況を前記サプライチェーン管理システムに送信し、
前記異常項目に関する異常の程度を表すリスクレベルを前記サプライチェーン管理システムに送信する
こと特徴とするサプライチェーン情報送信方法。
【請求項９】
請求項８に記載のサプライチェーン情報送信方法を用いて送信されたサプライチェーン情報を、前記ノードおよび前記リンクから取得し、
前記サプライチェーン情報から前記異常項目を抽出し、
前記サプライチェーン情報から前記異常項目に対応する対処状況を抽出し、
前記サプライチェーン情報から前記異常項目に対応する前記リスクレベルを抽出し、
前記サプライチェーン情報の取得時刻と前記対処状況と前記リスクレベルとを前記異常項目に紐づけて異常項目データとして記憶する
ことを特徴とするサプライチェーン管理方法。
【請求項１０】
請求項８に記載のサプライチェーン情報送信方法を用いて送信されたサプライチェーン情報を、前記ノードおよび前記リンクから取得するステップと、
前記サプライチェーン情報から前記異常項目を抽出するステップと、
前記サプライチェーン情報から前記異常項目に対応する対処状況を抽出するステップと、
前記サプライチェーン情報から前記異常項目に対応する前記リスクレベルを抽出するステップと、
前記サプライチェーン情報の取得時刻と前記対処状況と前記リスクレベルとを前記異常項目に紐づけて異常項目データとして記憶するステップと
を有することを特徴とするサプライチェーン管理プログラム。
【発明の詳細な説明】
【技術分野】
【０００１】
本発明は、サプライチェーン情報フォーマットおよびサプライチェーン管理システムに関する。
【背景技術】
【０００２】
近年のソフトウェア、ハードウェア、および、それらをシステム化した情報通信技術の進歩に伴い、調達・生産・物流などのサプライチェーン全体に渡る情報管理が可能になってきている。他方で、取引、商業、通信の複雑化に伴い、物理的サプライチェーンにおける情報管理は複雑さを増している。このように複雑化したサプライチェーンの効率を最大化するために、サプライチェーンの情報管理を有効に活用する方法が求められている。
【０００３】
ところで、サプライチェーンでは、予期せぬ異常により、物理的サプライチェーンが分断される場合がある。例えば地震や水害などの災害が発生した場合、生産、物流などが滞る恐れがある。また、この異常により、供給業者に影響がある場合は、例えば生産計画を見直したり、関連する製品を顧客に渡す納期を調整したりする必要が生じる。これらの調整等に時間を要すると、製品の出荷が遅れ、経済または経営上の損失が拡大することとなる。
【０００４】
また、予期せぬ異常だけでなく、供給材料のＥＯＬ（Ｅｎｄ  Ｏｆ  Ｌｉｎｅ）や品質問題が発生した際にも、関連製品や顧客への影響が生じる。このような影響の調査や対策実行などの対応が遅れると、物理的サプライチェーンの分断が長期化し、損失が拡大する事態を招く。
【０００５】
上述のような背景から、サプライチェーンの分断を早期に復旧する仕組みが求められている。そして、そのような仕組みに貢献するための、様々なサプライチェーン管理システムが考案されている。例えば特許文献１には、材料供給業者、部品および構成要素製造業者、製品組み立て業者の階層ごとに性能情報（稼働情報）を収集し、対象とする製品に関わる情報を相互に関連付けて監視する、サプライチェーン監視システムが開示されている。このサプライチェーン監視システムを用いることで、サプライチェーンに異常が発生した場合に、異常の影響がおよぶ範囲や規模を素早く把握することが可能になる。
【先行技術文献】
【特許文献】
【０００６】
【特許文献１】特表２０１５−５２８９４６号公報
【発明の概要】
【発明が解決しようとする課題】
【０００７】
しかしながら、特許文献１の技術では、サプライチェーンの異常が影響を及ぼす範囲や規模を提示するのみであり、それぞれの異常に対する対処の有無および対処の進捗状況を把握することができなかった。
【０００８】
本発明は、上記の問題点に鑑みてなされたものであり、サプライチェーンに異常が発生した場合に、当該異常に対する対処の有無と対処の進捗状況が把握できるサプライチェーン情報フォーマットを提供することを目的としている。
【課題を解決するための手段】
【０００９】
上記の課題を解決するため、サプライチェーン情報フォーマットは、異常項目記述部と、対処状況記述部と、リスクレベル記述部とを有している。異常項目記述部は、サプライチェーンを構成するノードおよびリンクで発生した異常の詳細情報である異常項目を記述するデータ領域である。対処状況記述部は、上記したそれぞれの異常項目に対応する対処の状況を記述するデータ領域である。リスクレベル記述部は、異常項目の異常のレベルを定量的に既述するデータ領域である。このサプライチェーン情報フォーマットを用いれば、サプライチェーンで発生している異常の種類と、対処状況と、異常のレベルとを適時に伝達することができる。
【発明の効果】
【００１０】
本発明の効果は、サプライチェーンに異常が発生した場合に、当該異常に対する対処の有無と対処の進捗状況が把握できるサプライチェーン情報フォーマットを提供できることである。
【図面の簡単な説明】
【００１１】
【図１】第１の実施形態のサプライチェーン情報フォーマットを示す図である。
【図２】一般的なサプライチェーンを表す模式図である。
【図３】第２の実施形態のサプライチェーン管理システムを示すブロック図である。
【図４】第２の実施形態のサプライチェーン管理システムの動作を示すフローチャートである。
【図５】第３の実施形態のサプライチェーン管理システムのハードウェア構成を示すブロック図である。
【図６】第３の実施形態のサプライチェーン管理システムの詳細を示すブロック図である。
【図７】第３の実施形態のサプライチェーン管理システムの動作を示すフローチャートである。
【図８】第５の実施形態の異常項目データの表示の第１の例を示す図である。
【図９】第５の実施形態の異常項目データの表示の第２の例を示す図である。
【図１０】第５の実施形態の異常項目データの表示の第３の例を示す図である。
【図１１】第５の実施形態の異常項目データの表示の第４の例を示す図である。
【発明を実施するための形態】
【００１２】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１３】
（第１の実施形態）
図１は本実施形態のサプライチェーン情報フォーマットを示す図である。サプライチェーン情報フォーマットは、異常項目記述部１と、対処状況記述部２と、リスクレベル記述部３とを有している。
【００１４】
異常項目記述部１は、異常項目を記述するデータ領域である。ここで、異常項目とは、サプライチェーンを構成するノードおよびリンクで発生した異常の詳細情報であり、少なくとも、データが入力された時刻と、ノードまたはリンクを識別する識別子と、異常の種類を識別する情報を含むものである。例えば、Ａ工場（ノード００１）におけるＢ部品の生産能力低下などといった情報である。また、さらに細分化された情報であっても良い。例えば、Ｂ部品生産ラインの生産装置Ｃが故障中といった情報であっても良い。こうした情報の粒度は、サプライチェーンの管理方針によって任意に設定される。
【００１５】
対処状況記述部２は、上記したそれぞれの異常項目に対応する対処の状況を記述するデータ領域である。上記の例に対応する対処状況としては、Ｂ部品の生産能力復旧作業中、あるいは生産装置Ｃ修理作業中などといった情報とすることができる。また対処状況を記述するデータには、登録日時、対処内容、異常の状態、担当者などを含めるようにしても良い。
【００１６】
リスクレベル記述部３は、異常項目の異常のレベルを定量的に既述するデータ領域である。上記の例に対応するリスクレベルとしては、例えば異常項目：Ｂ部品の生産能力低下が、リスクレベル：通常の７０％といった情報とすることができる。
【００１７】
以上説明したように、本実施形態のサプライチェーン情報フォーマットを用いれば、サプライチェーンで発生している異常の種類と、対処状況と、異常のレベルとを適時に伝達することができる。
【００１８】
（第２の実施形態）
図２は一般的なサプライチェーンを表す模式図である。図２では、日本、アジア、オセアニア地域のサプライチェーンを表している。サプライチェーンは、物品の調達・生産・物流拠点となる複数のノード１０と、それぞれのノード１０を結ぶリンク２０で構成されている。物流は、あるノード１０からリンク２０を通して別のノード１０へ物品を移動することにより行われる。
【００１９】
図３は、本実施形態のサプライチェーン管理システムを示すブロック図である。サプライチェーン管理システムは、サプライチェーン情報取得手段１００と、異常項目抽出手段２００と、対処状況抽出手段３００と、リスクレベル抽出手段４００と、異常項目データ記憶手段５００とを有している。
【００２０】
サプライチェーン情報取得手段１００は、各ノードまたはリンク第１の実施形態のサプライチェーン情報フォーマットに記載されたサプライチェーン情報を取得する。
【００２１】
異常項目抽出手段２００は、サプライチェーン情報から異常項目を抽出する。異常項目の抽出により、異常の発生しているノードまたはリンクと、異常の種類を取得することができる。なお、それぞれの異常項目には時間によらない識別子を付与して、ユニークに管理することができる。
【００２２】
対処状況抽出手段３００は、それぞれの異常項目に対する対処の状況を抽出する。これにより、サプライチェーン情報が生成された時刻において、当該異常項目に対して対処がなされているか否か、どのような対処がなされているかを把握することができる。
【００２３】
リスクレベル抽出手段４００は、サプライチェーン情報が生成された時刻における、当該異常項目のリスクレベルを抽出する。ここでリスクレベルとは、異常の程度を定量的に表すデータである。リスクレベルは、例えば、品質、対処コスト、納期の観点から定量化して記述される。
【００２４】
異常項目データ記憶手段５００は、サプライチェーン情報が生成された時刻における異常項目と対処状況とリスクレベルとを紐づけて記憶する。これにより、各異常項目に関する対処状況とリスクレベルとを時系列で管理することができる。
【００２５】
図４は、本実施形態のサプライチェーン管理システムの動作を示すフローチャートである。サプライチェーン管理システムは、まず、各ノードおよび各リンクから送信されたサプライチェーン情報を取得する（Ｓ１）。次に、取得したサプライチェーン情報から異常項目を抽出する（Ｓ２）。次に、取得したサプライチェーン情報から当該異常項目に対する対処状況を抽出する（Ｓ３）。次に、取得したサプライチェーン情報から当該異常項目のリスクレベルを抽出する（Ｓ４）。そして、抽出した異常項目に関する対処状況とリスクレベルとをサプライチェーン情報が生成された時刻と紐づけて、異常項目データとして記憶する（Ｓ５）。
【００２６】
以上説明したように、本実施形態によれば、各異常項目に関する対処状況とリスクレベルとを時系列で管理することができる。
【００２７】
（第３の実施形態）
図５は、本実施形態のサプライチェーン管理システムのハードウェア構成を示すブロック図である。サプライチェーン管理システム１０００は、記憶装置１１００と、中央処理装置１２００と、表示装置１３００と、インターフェイス１４００と、入力装置１５００とを有している。一般的なコンピュータと同様な構成となっている。
【００２８】
図６は、サプライチェーン管理システム１０００の詳細を示すブロック図である。記憶装置１１００には、サプライチェーン情報記憶部１１１０と、異常項目データ記憶部１１２０が実装されている。中央処理措置１２００には、サプライチェーン情報取得部１２１０と、異常項目抽出部１２２０と、対処状況抽出部１２３０と、リスクレベル抽出部１２４０と、異常項目データ選択部１２５０と、表示制御部１２６０とが実装されている。また、サプライチェーン管理システム１０００は、表示装置１３００と、通信インターフェイス１４００と、入力装置１５００とを有している。
【００２９】
サプライチェーン情報取得部１２１０は、インターネット２０００から、通信インターフェイス１４００を介して、各ノードまたは各リンクから送信されたサプライチェーン情報を取得し、サプライチェーン情報記憶部１１１０に記憶する。なお、サプライチェーン情報は、第１、２の実施形態と同様のサプライチェーン情報フォーマットによって記述されている。
【００３０】
異常項目抽出部１２２０は、取得したサプライチェーン情報から、異常項目を抽出する。
【００３１】
対処状況抽出部１２２０は、取得したサプライチェーン情報から、対処状況を抽出する。
【００３２】
リスクレベル抽出部１２３０は、取得したサプライチェーン情報から、リスクレベルを抽出する。
【００３３】
異常項目データ記憶手段１１２０は、抽出した異常項目に対する、対処状況とリスクレベルとをサプライチェーン情報が生成された時刻に紐づけて、異常項目データとして記憶する。記憶の制御は、例えば対処状況抽出部１２３０やリスクレベル抽出部１２４０が行うようにすることができる。
【００３４】
異常項目選択部１２５０は、表示装置１３００に表示する異常項目を選択する。異常項目を選択すると、選択された異常項目に対応する異常項目データも選択される。異常項目の選択は、例えば、対処が完了していない異常項目すべてとすることができるが、入力装置１５００で入力に従って行うことも可能である。
【００３５】
表示制御部１２６０は、選択された異常項目データを表示するように表示装置１３００の表示を制御する。例えば、選択された異常項目に属する異常項目データ（時刻、対処状況、リスクレベル）を一覧で表示することができる。また表示するデータが多い場合には、異常項目ごとにタブを作成し、そのタブ内に異常項目データが表示されるようにしても良い。また表示する異常項目データを所定の時間ごとに切り替えて表示しても良い。表示制御の詳細については後述する。
【００３６】
図７は、本実施形態のサプライチェーン管理システムの動作を示すフローチャートである。まず、サプライチェーン情報取得部１２１０が、サプライチェーン情報を取得し、サプライチェーン情報記憶部１１１０に記憶する（Ｓ１０１）。次に、異常項目抽出部１２２０が、サプライチェーン情報に記述された異常項目を抽出する（Ｓ１０２）。次に、対処状況抽出部１２３０が、サプライチェーン情報に記述された対処状況を抽出する（Ｓ１０３）。次にリスクレベル抽出部１２４０が、サプライチェーン情報に記述されたリスクレベルを抽出する（Ｓ１０４）。そして抽出した対処状況とリスクレベルとをサプライチェーン情報生成時刻に紐づけて、当該異常項目に属する異常項目データとして、異常項目データ記憶部１１２０に記憶する（Ｓ１０５）。次に、異常項目選択部１２５０が、表示する異常項目と異常項目データとを選択する（Ｓ１０６）。次に、表示制御部１２６０が、選択された異常項目と異常項目データとを表示装置１３００に表示するためのデータを生成し表示を制御する（Ｓ１０７）。そして表示装置１３００が、異常項目とそれに属する異常項目データとを表示する。この時の表示の仕方は、ユーザーの任意で設定することができるが、具体的な表示例については後述する。
【００３７】
以上説明したように、本実施形態によれば、サプライチェーンに異常が発生した場合に、それぞれの異常項目に関する対処状況およびリスクレベルを時系列で管理し、表示することができる。このため、ユーザーは、それぞれの異常項目に対する対処の状況との有効性をすぐに把握することができる。
【００３８】
（第４の実施形態）
本実施形態では、リスクレベルについて説明する。本実施形態では、リスクレベルを、ＱＣＤ、すなわち品質（Ｑｕａｌｉｔｙ）、対処コスト（Ｃｏｓｔ）、納期（Ｄｅｌｉｖｅｒｙ）の観点で定量化する。
【００３９】
品質については、各ノードにおいて、達成されるべき性能に対する未達量としてリスクレベルを定量化することができる。具体な例を挙げると、例えば部品の出荷数の目標値に対する未達量で定義することができる。出荷数が目標の７０％であれば、未達量３０％として定量化することができる。
【００４０】
対処コストについては、その金額でリスクレベルを定量化することができる。
【００４１】
納期については、予定納期に対する遅延量や遅延率としてリスクレベルを定量化することができる。
【００４２】
さらに、品質、コスト、納期のリスクを、それぞれ規格化して一元化することも可能である。例えば、各リスクで生じるコストインパクトが同等となるようにすれば、当該異常項目のリスクを、各リスクレベルの和や積として一元化することができる。
【００４３】
リスクレベルの規格化の一例を以下に示す。品質に関するリスクを測る項目が製品の直行率である場合、直行率を％で表し、１００％から直行率を引いた結果に１０を乗じる。例えば、直行率７０％であれば、（１００−７０）／１０＝３でリスクポイント３となる。
【００４４】
対処コストに関するリスクポイントは、金額の桁数で定義する。この時、金額（円）を１００円で除した数値の桁数を採用すると、１００万円はリスクポイント５となる。
【００４５】
納期に関するリスクポイントは、予定の期に対する遅延率で定義する。例えば、納期１０日に対して遅延日数が３日であれば、遅延率３０％であるが、これを１０で割ってリスクポイント３を付与する。
【００４６】
こうして求めたリスクポイントの和を取って、取得したサプライチェーン情報生成時刻における当該異常項目のリスクポイントとすることができる。上記の具体例では３＋５＋３＝１１となる。この一元化したリスクポイントを用いると、当該異常項目全体のリスクレベルを一元化して、リスクレベルの時間的な変化を把握することが容易になる。すなわち、当該異常項目のリスクレベルが、悪化しているか、良化しているか、変化なしなのかを把握することができる。
【００４７】
（第５の実施の形態）
本実施形態では、異常項目データの表示例について説明する。
【００４８】
図８は異常項目データの表示の一例を示す図である。この例の表示では、情報の登録時刻ごとに、データの登録日時と、対処状況としての対処内容、詳細状況、担当者と、リスクレベルとしてのシンボル（円）とテキストが表示されている。そして、上段から下段に向かうほど過去のデータとなるように一覧表示されている。なお、異常項目データの数が多くて、一度にすべての異常項目データを表示できない場合には、所定数ずつに分割したタブを用いて表示したり、表示をスクロールできるようにしたりしても良い。
【００４９】
この表示ではリスクレベルを「平常」、「警告」、「要対応」の３パターンで分類し、その分類を示す色で視覚化している。ここでは、「平常」＝青色、「警告」＝黄色、「要対応」＝赤色、といった信号色で表示することで、リスクを判断しやすくしている。なお、上記の例では色の違いでリスクレベルを表したが、その他に、表示の濃淡、シンボルのサイズ、数値、所定図形の表示数で表しても良い。
【００５０】
このように、異常に対する対処状況と、各対処状況時の異常リスクとを、時間経過とともに並べて表示し、リスクレベルを視覚化することで、異常に対するリスク変化をすぐに把握することができる。その結果は、例えば複数の異常項目がある場合に、対策の優先順位を付けるのに役立てることができる。
【００５１】
図９は、リスクレベルの変化を矢印で視覚化した表示例を示す図である。ここでは、前回からのリスクレベルの変化を「良化」、「変化なし」、「悪化」の３パターンで分類し、「良化」＝右上向き矢印、「変化なし」＝右向き矢印、「悪化」＝右下向き矢印で表示している。このようにリスクレベルの変化を視覚化することで、異常項目のリスクの傾向変化を判断しやすくする。なお、矢印を用いずに、色、表示の濃淡、シンボルのサイズ、数値、所定図形の表示数で、リスクレベルの変化を表しても良い。
【００５２】
このように、異常に対する対処状況と、各対処による異常状態（リスクレベル）の変化を、時間経過とともに並べて表示することで、異常に対する各対処の有効性をすぐに把握することができる。その結果、各異常項目に対する対策指示の迅速化が可能となる。
【００５３】
図１０は、別の表示例を示す図である。図１０の表示では、図８で説明したリスクレベルの表示と、図９で説明したリスクレベルの前回からの変化を合わせて表示するようにしている。このように表示することで、リスクレベルとリスクレベルの変化傾向を判断しやすくしている。
【００５４】
このように、異常に対する対処状況と、各対処による異常状態（リスクレベル）の変化を一元的に表示し、時間経過とともに並べて表示することで、異常に対する各対処の有効性をすぐに把握することができる。その結果、各異常に対策優先順位と対策指示の迅速化が可能となる。
【００５５】
図１１は、図１０で説明した表示に加え、登録内容の更新有無を合わせて表示している。登録内容の表示は、例えば、対応状況内容を初めて登録する際は「ＮＥＷ」、２回目以降の登録であれば「ＵＰＤＡＴＥ」、最後の登録であれば「ＥＮＤ」という表示が付与される。この表示は日時の横にタグ上で表示することで、閲覧者による視認性を高めることができる。
【００５６】
いずれの表示を行うかは、登録内容の回数に応じて、異常項目選択部で判定され、その判定結果に基づいて、表示制御部で制御される。
【００５７】
まず、該当異常項目に対し、事前の登録があったかを判定する。表示制御部は、判定結果が「無し」の場合は、「ＮＥＷ」を表示するように制御する。判定結果が、「有り」の場合は、最後の登録となるかを判定する。最後の登録となるかの判定は、例えば、事前の取り決めにより、サプライチェーン情報フォーマットに最後の登録を示す情報を付加することで行うことができる。また、異常のリスクレベルが、所定値を下回った場合に自動的に最後の登録と判定するようにしても良い。最後の登録となる場合は、表示制御部は「ＥＮＤ」と表示するように表示を制御し、最後の登録とならない場合は、「ＵＰＤＡＴＥ」と表示するように表示を制御する。
【００５８】
なお、いずれの表示も、一定期間後に非表示となってもよい。または閲覧者が閲覧後に、非表示となっても良い。
【００５９】
このように、異常に対する対処状況と各対処による異常状態（リスクレベル）の変化を一元的に表示するだけでなく、その登録情報の更新情報も付与することで、異常に対する優先順位付けを迅速化できる。
【００６０】
上述した第１乃至第５の実施形態の処理を、コンピュータに実行させるプログラムおよび該プログラムを格納した記録媒体も本発明の範囲に含む。記録媒体としては、例えば、磁気ディスク、磁気テープ、光ディスク、光磁気ディスク、半導体メモリ、などを用いることができる。
【００６１】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００６２】
１    異常項目記述部
２    対処状況記述部
３    リスクレベル記述部
１０    ノード
２０    リンク
１００    サプライチェーン情報取得手段
２００    異常項目抽出手段
３００    対処状況抽出手段
４００    リスクレベル抽出手段
５００    異常項目データ記憶手段
１０００    サプライチェーン管理システム
１１００    記憶装置
１１１０    サプライチェーン情報記憶部
１１２０    異常項目データ記憶部
１２００    中央処理装置
１２１０    サプライチェーン情報取得部
１２２０    異常項目抽出部
１２３０    対処状況抽出部
１２４０    リスクレベル抽出部
１２５０    異常項目選択部
１２６０    表示制御部
１３００    表示装置
１４００    通信インターフェイス
１５００    入力装置
２０００    インターネット
【図１】
2019086952.tif 000003
【図２】
2019086952.tif 000004
【図３】
2019086952.tif 000005
【図４】
2019086952.tif 000006
【図５】
2019086952.tif 000007
【図６】
2019086952.tif 000008
【図７】
2019086952.tif 000009
【図８】
2019086952.tif 000010
【図９】
2019086952.tif 000011
【図１０】
2019086952.tif 000012
【図１１】
2019086952.tif 000013